(57)【要約】【課題】高価な構成とすることなく、折り曲げた場合でも表示に汚れが生じることを回避する。【解決手段】所定の領域を折り部３として折り曲げ可能な構成において、ベース基材１０と、ベース基材１０の一方の面に形成された表示電極２１と、ベース基材１０の表示電極２１が形成された面に対向して配置された透明電極３２と、ベース基材１０と透明電極３２との間に配置され、表示電極２１と透明電極３２との間の電位差によって情報を可変表示する情報表示層３３とを有し、情報表示層３３は、折り部３に重なる領域が予め除去されている。【選択図】図２
2018163219.tif 000002
【特許請求の範囲】
【請求項１】
所定の領域を折り部として折り曲げ可能に構成された情報表示媒体であって、
ベース基材と、
前記ベース基材の一方の面に形成された表示電極と、
前記ベース基材の前記表示電極が形成された面に対向して配置された透明電極と、
前記ベース基材と前記透明電極との間に配置され、前記表示電極と前記透明電極との間の電位差によって情報を可変表示する情報表示層とを有し、
前記情報表示層は、前記折り部に重なる領域が予め除去されている、情報表示媒体。
【請求項２】
請求項１に記載の情報表示媒体において、
前記ベース基材は、前記折り部に重なる領域にハーフスリットが形成されている、情報表示媒体。
【発明の詳細な説明】
【技術分野】
【０００１】
本発明は、情報を可変表示する情報表示媒体に関し、特に、折り曲げ可能とする技術に関する。
【背景技術】
【０００２】
従来、情報を表示する表示装置として、ＣＲＴディスプレイや液晶ディスプレイ、プラズマディスプレイ等が用いられている。これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。また、上述したような表示装置に加えて、紙のように薄い薄型の情報表示媒体が普及している。このような情報表示媒体は、一方の面に表示電極が形成された電極基板と、一方の面の全面に透明電極が設けられた透明基板とが情報表示層を介して積層されて構成されており、表示電極と透明電極との間の電位差によって情報表示層にて情報が可変表示される。
【０００３】
また近年では、上述したような情報表示媒体として、折り曲げ可能な構成とすることで利便性を向上させるものも考えられており、例えば、特許文献１に開示されている。特許文献１に開示された情報表示媒体は、ベース層と表示層と保護層とがこの順で積層されてなる電子ペーパーにおいて、表示層の厚さを折り曲げ部のみ薄くしたり、折り曲げ部をベース層のみから構成したり、折り曲げ部にて表示層を空洞としたりすることで、折り曲げ部の剛性を弱めて折り曲げ可能な構成としている。
【先行技術文献】
【特許文献】
【０００４】
【特許文献１】特許第４２８７６７５号公報
【発明の概要】
【発明が解決しようとする課題】
【０００５】
しかしながら、特許文献１に開示された技術では、表示層の厚さを折り曲げ部のみ薄くした場合、表示層を構成するマイクロカプセル層が折り曲げられることによって破壊され、マイクロカプセルが隔壁内から外部に流出して表示が汚れてしまう虞がある。また、折り曲げ部をベース層のみから構成したり、折り曲げ部にて表示層を空洞としたりした場合は、情報を表示する表示部が複数設けられることになるため、表示部の表示を制御するコントローラーも複数必要となってしまい、高価なものとなってしまうという問題点がある。
【０００６】
本発明は、上述したような従来の技術が有する問題点に鑑みてなされたものであって、高価な構成とすることなく、折り曲げた場合でも表示に汚れが生じることを回避できる情報表示媒体を提供することを目的とする。
【課題を解決するための手段】
【０００７】
上記目的を達成するために本発明は、
所定の領域を折り部として折り曲げ可能に構成された情報表示媒体であって、
ベース基材と、
前記ベース基材の一方の面に形成された表示電極と、
前記ベース基材の前記表示電極が形成された面に対向して配置された透明電極と、
前記ベース基材と前記透明電極との間に配置され、前記表示電極と前記透明電極との間の電位差によって情報を可変表示する情報表示層とを有し、
前記情報表示層は、前記折り部に重なる領域が予め除去されている。
【０００８】
上記のように構成された本発明においては、所定の領域を折り部として折り曲げると、ベース基材及び透明電極が折り部を中心として折り曲げられるものの、情報表示層は、折り部に重なる領域が予め除去されていることで、折り曲げられることによる負荷がかかることがなく、それにより、情報表示層が破壊してマイクロカプセル等が外部に流出することで表示が汚れてしまうことがない。またこの際、表示電極が形成されたベース基材及び透明電極のそれぞれが、折り部にて分割されていない構成となっていることで、表示を制御するコントローラーを複数設ける必要がない。
【０００９】
また、ベース基材の折り部に重なる領域にハーフスリットが形成されていれば、ハーフスリットによって容易に折り曲げることができるとともに、ハーフカットが、表示電極が形成された面とは反対側の面に形成されていれば、折り部が認識されやすくなる。
【発明の効果】
【００１０】
本発明によれば、ベース基材の一方の面に表示電極が形成され、ベース基材の表示電極が形成された面に透明電極が対向して配置され、表示電極と透明電極との間の電位差によって情報を可変表示する情報表示層がベース基材と透明電極との間に配置された構成において、情報表示層の折り部に重なる領域が予め除去されているため、折り曲げた場合でも、情報表示層に負荷がかかることがなく、情報表示層が破壊してマイクロカプセル等が外部に流出することで表示に汚れが生じることを回避できる。またこの際、表示電極が形成されたベース基材及び透明電極のそれぞれが、折り部にて分割されていない構成となっていることで、表示を制御するコントローラーを複数設ける必要がなく、それにより、高価な構成とすることなく、表示に汚れが生じることを回避する構成を実現することができる。
【００１１】
また、ベース基材の折り部に重なる領域にハーフスリットが形成されているものにおいては、ハーフスリットによって容易に折り曲げることができるとともに、ハーフカットが、表示電極が形成された面とは反対側の面に形成されていれば、折り部を認識しやすくすることができる。
【図面の簡単な説明】
【００１２】
【図１】本発明の情報表示媒体に用いられる背面電極ユニットの実施の一形態を示す図であり、（ａ）は表面図、（ｂ）は（ａ）に示したＡ−Ａ’断面図、（ｃ）は裏面図である。
【図２】図１に示した背面電極ユニットを用いた本発明の情報表示媒体の実施の一形態を示す図であり、（ａ）は表面図、（ｂ）は（ａ）に示したＡ−Ａ’断面図、（ｃ）は情報表示層の詳細な構造を示す図である。
【図３】図２に示した情報表示媒体の製造方法を説明するための図である。
【図４】図２に示した情報表示媒体を折り曲げた状態を示す断面図である。
【図５】本発明の情報表示媒体に用いられる背面電極ユニットの他の実施の形態を示す図であり、（ａ）は表面図、（ｂ）は（ａ）に示したＡ−Ａ’断面図、（ｃ）は裏面図である。
【図６】図５に示した背面電極ユニットを用いた本発明の情報表示媒体の他の実施の形態を示す図であり、（ａ）は表面図、（ｂ）は（ａ）に示したＡ−Ａ’断面図である。
【発明を実施するための形態】
【００１３】
以下に、本発明の実施の形態について図面を参照して説明する。
【００１４】
図１は、本発明の情報表示媒体に用いられる背面電極ユニットの実施の一形態を示す図であり、（ａ）は表面図、（ｂ）は（ａ）に示したＡ−Ａ’断面図、（ｃ）は裏面図である。
【００１５】
本形態における背面電極ユニットは図１に示すように、２つの表示電極部１ａ，１ｂが並んで構成され、ベース基材１０の一方の面に表示電極２１及び配線２２が形成されて構成されている。
【００１６】
表示電極部１ａ，１ｂのそれぞれには、表示電極部１ａ，１ｂを用いて表示する情報に合わせて７つの表示電極２１がセグメント形状に形成されている。また、これら表示電極２１のそれぞれには、表示電極２１に電気信号を伝達することで電圧を印加するための配線２２が接続されている。表示電極部１ａ，１ｂに形成された表示電極２１に対しては、背面電極ユニット１の表示電極部１ａ，１ｂの並び方向における表示電極部１ａ側の端部から配線２２が延びて接続されている。そのため、表示電極部１ｂの表示電極２１に接続された配線２２は、表示電極部１ａ，１ｂの境界を横断して形成されている。
【００１７】
ベース基材１０は、例えば、ＰＥＴ（ポリエチレンテレフタレート）フィルムやＰＥＮ（ポリエチレンナフタレート）フィルム等の絶縁性材料からなり、銀等を主成分とする導電性ペーストを用いた印刷によって表示電極２１及び配線２２が形成されている。また、ベース基材１０の表示電極２１及び配線２２が形成された面とは反対側の面には、表示電極部１ａ，１ｂの境界にハーフスリット１３が線状に形成されている。
【００１８】
図２は、図１に示した背面電極ユニット１を用いた本発明の情報表示媒体の実施の一形態を示す図であり、（ａ）は表面図、（ｂ）は（ａ）に示したＡ−Ａ’断面図、（ｃ）は情報表示層３３の詳細な構造を示す図である。
【００１９】
本形態における情報表示媒体は図２に示すように、図１に示した背面電極ユニット１におけるベース基材１０の表示電極２１及び配線２２が形成された面上に、情報表示層３３、透明電極３２及び透明基材３１がこの順で積層され、情報表示層３３が接着剤４０によってベース基材１０に接着されて構成されている。これにより、ベース基材１０の表示電極２１が形成された面に透明電極３２が対向して配置され、ベース基材１０と透明電極３２との間に情報表示層３３が配置された構成となっている。そして、ハーフスリット１３に重なる領域が折り部３となって折り曲げ可能となっている。
【００２０】
情報表示層３３、透明電極３３及び透明基材３１は、電子ペーパー部３０を構成し、図１に示した表示電極部１ａ，１ｂに亘って積層されるが、ハーフスリット１３に対向する領域、すなわち折り部３に重なる領域においては、電子ペーパー部３０のうち情報表示層３３と接着剤４０とが予め除去されている。
【００２１】
情報表示層３３は、図２（ｃ）に示すように、隔壁３３ｃで囲まれた領域に、マイクロカプセル３３ａが分散した隔壁内液体３３ｂが収容されて構成されている。
【００２２】
上記のように構成された情報表示媒体２においては、透明電極３２に接続されるとともに、配線２２を介して表示電極２１に接続されたコントローラー（不図示）により、透明電極３２に所定の電圧が印加された状態で、表示する情報に応じて表示電極２１に２種類の電圧が選択的に印加されることによって、情報表示層３３に透明電極３２と表示電極２１との間の電位差による電位が付与される。すると、マイクロカプセル３３ａが、付与された電位に応じて、透明電極３２側あるいは表示電極２１側に隔壁内液体３３ｂ内を移動し、隔壁内液体３３ｂが染料または顔料で着色されており、マイクロカプセル３３ａが高屈折率の光散乱成分を含むことで、マイクロカプセル３３ａが透明電極３２側に移動した領域と、マイクロカプセル３３ａが表示電極２１側に移動した領域とで、透明基材３１側から視認される色が異なることとなり、それにより、“００”〜“９９”の情報が表示されることとなる。
【００２３】
以下に、上記のように構成された情報表示媒体２の製造方法について説明する。
【００２４】
図３は、図２に示した情報表示媒体２の製造方法を説明するための図である。
【００２５】
図２に示した情報表示媒体２を製造する場合は、まず、ベース基材１０上に、導電性ペーストを用いた印刷によって表示電極２１及び配線２２を形成する（図３（ａ））。
【００２６】
次に、ベース基材１０の表示電極２１及び配線２２とは反対側の面のうち、折り部３となる領域にハーフスリット１３を形成し、図１に示した背面電極ユニット１を作製する（図３（ｂ））。
【００２７】
また、透明基材３１、透明電極３２及び情報表示層３３からなる電子ペーパー部３０の情報表示層３３側の面の全面に、接着剤４０を塗工する（図３（ｃ））。
【００２８】
次に、電子ペーパー部３０の接着剤４０が塗工された面側から、折り部３となる領域にレーザー光を照射することで、接着剤４０と電子ペーパー部３０のうち情報表示層３３のみを線状に除去する（図３（ｄ））。なお、レーザー光を照射することによって情報表示層３３の一部を除去することとなるため、情報表示層３３のうち除去された部分に接する部分からマイクロカプセル３３ａや隔壁内液体３３ｂが流れ出てしまうことはない。
【００２９】
その後、一方の面に表示電極２１及び配線２２が形成されるとともに、他方の面にハーフスリット１３が形成されてなる背面電極ユニット１の表示電極２１及び配線２２が形成された面上に、接着剤４０が塗工され、接着剤４０と情報表示層３３の一部が除去された電子ペーパー部３０を、接着剤４０が塗工された面を積層面とし、かつ、接着剤４０と情報表示層３３が除去された領域がハーフスリット１３と重なるように積層し、接着剤４０によってこれらを接着し、図２に示した情報表示媒体２を完成させる（図３（ｅ））。
【００３０】
なお、ベース基材１０にハーフスリット１３を形成するタイミングは、上述したように、ベース基材１０に表示電極２１及び配線２２が形成された後に限らず、ベース基材１０に表示電極２１及び配線２２が形成される前であってもよく、さらには、接着剤４０によって背面電極ユニット１に電子ペーパー部３０が接着された後であってもよい。また、ハーフカット１３は、ベース基材１０の表示電極２１及び配線２２とは反対側の面ではなく、表示電極２１及び配線２２と同一面に形成されていてもよい。
【００３１】
以下に、上述した情報表示媒体２を折り曲げた際の作用について説明する。
【００３２】
図４は、図２に示した情報表示媒体２を折り曲げた状態を示す断面図である。
【００３３】
上記のように構成された情報表示媒体２においては、折り部３を中心として折り曲げることができる。そして、情報表示層３３の状態の変化による情報を透明基材３１側から視認するものであることから、図４に示すように、折り部３を中心として、透明基材３１が外側となるように折り曲げることができる。その際、ベース基材１０の折り部３に重なる領域にハーフスリット１３が形成されているため、折り部３を認識しやすくなるとともに、ハーフスリット１３によって容易に折り曲げることができる。
【００３４】
情報表示媒体２を折り部３を中心として折り曲げると、ベース基材１０、透明基材３１及び透明電極３２が折り部３を中心として折り曲げられるものの、情報表示層３３は、折り部３に重なる領域が予め除去されていることで、折り曲げられることによる負荷がかかることがない。それにより、情報表示層３３の隔壁３３ｃが破壊してマイクロカプセル３３ａや隔壁内液体３３ｂが外部に流出することがなく、表示が汚れてしまうことが回避される。
【００３５】
また、ベース基材１０は、折り部３にて分割されておらず、ベース基材１０に形成された表示電極２１は、全て背面電極ユニット１の表示電極部１ａ，１ｂの並び方向における表示電極部１ａ側の端部から配線２２が延びて接続されており、また、透明電極３３においては、表示電極部１ａ，１ｂに亘って積層されているため、１つのコントローラーにより、透明電極３２に所定の電圧が印加された状態で、表示する情報に応じて表示電極２１に２種類の電圧が選択的に印加されることによって、情報表示層３３に透明電極３２と表示電極２１との間の電位差による電位が付与されることになり、それにより、表示を制御するコントローラーを複数設ける必要がなく、高価な構成とすることなく、上述した高価を得ることができる。
【００３６】
（他の実施の形態）
図５は、本発明の情報表示媒体に用いられる背面電極ユニットの他の実施の形態を示す図であり、（ａ）は表面図、（ｂ）は（ａ）に示したＡ−Ａ’断面図、（ｃ）は裏面図である。図６は、図５に示した背面電極ユニット１０１を用いた本発明の情報表示媒体の他の実施の形態を示す図であり、（ａ）は表面図、（ｂ）は（ａ）に示したＡ−Ａ’断面図である。
【００３７】
本形態における背面電極ユニット及びそれを用いた情報表示媒体は図５及び図６に示すように、図１及び図２に示したものに対して、ベース基材１０の折り部１０３の領域にハーフスリット１３が形成されておらず、その代わりに、ベース基材１０の表示電極２１及び配線２２とは反対側の面に、折り部１０３を示す折り支持線１１３が表示されている点で異なるものである。
【００３８】
上記のように構成された情報表示媒体１０２は、折り支持線１１３によって折り部１０３を認識することができ、図２に示したものと同様に、折り部１０３を中心として、透明基材３１が外側となるように折り曲げることができる。そして、情報表示層３３が、折り部１０３に重なる領域が予め除去されていることで、折り曲げられることによる負荷が情報表示層３３にかかることがなく、１つのコントローラーにより、透明電極３２に所定の電圧が印加された状態で、表示する情報に応じて表示電極２１に２種類の電圧が選択的に印加されることによって、情報表示層３３に透明電極３２と表示電極２１との間の電位差による電位が付与されることになる。
【符号の説明】
【００３９】
１，１０１    背面電極ユニット
２，１０２    情報表示媒体
３，１０３    折り部
１ａ，１ｂ    表示電極部
１０    ベース基材
１３    ハーフスリット
２１    表示電極
２２    配線
３０    電子ペーパー部
３１    透明基材
３２    透明電極
３３    情報表示層
３３ａ    マイクロカプセル
３３ｂ    隔壁内液体
３３ｃ    隔壁
４０    接着剤
１１３    折り支持線
【図１】
2018163219.tif 000003
【図２】
2018163219.tif 000004
【図３】
2018163219.tif 000005
【図４】
2018163219.tif 000006
【図５】
2018163219.tif 000007
【図６】
2018163219.tif 000008